(57)【特許請求の範囲】
【請求項１】
通水されて浄水を吐出する浄水ユニット、
前記浄水ユニットが脱着可能に構成され、浄水が加熱される加熱手段を有する給湯ユニット、及び
前記浄水ユニットからの浄水と前記給湯ユニットにおいて加熱された浄水を操作パネルにおけるボタン操作により選択的に吐出する浄水給湯栓、を具備する給湯装置であって、
前記浄水給湯栓が、上面側に設ける前記操作パネルと、キッチンユニットの使用者作業側端部を正面として実質的に背面側の位置に設けられ前記操作パネルのボタン操作を無効にする機能を有するスイッチを有する非常用操作部を有し、前記操作パネルの奥側の背面側近傍に前記スイッチの位置を表示するようにし、前記給湯ユニットの湯を吐出するための操作ボタンである熱湯ボタンを備え、前記浄水給湯栓が前記給湯ユニットの湯を吐出する出湯口と、前記熱湯ボタンの操作による出湯可能状態である旨を表示する出湯表示窓とを有し、前記出湯口が前記浄水給湯栓の前面端部近傍の下面側に設けられ、前記出湯表示窓が前記浄水給湯栓の前面端部側壁に設けられたキッチンユニットに組み込まれる給湯装置。
【発明の詳細な説明】
【０００１】
【発明の属する技術分野】
本発明は、システムキッチンにおけるキッチンユニットに組み込まれる給湯装置に関し、特に飲用、調理用の湯を供給する給湯装置に関する。
【０００２】
【従来の技術】
近年の安全志向や健康志向により、水道水に含まれる塩素、塩素化合物、金属等を除去し、臭いや濁りを取り除く電子水栓式の浄水器が組み込まれたキッチンユニットが開発され商品化されている。また、このような浄水器と組み合わせて、飲用、調理用の湯を供給する給湯装置を組み込んだキッチンユニットも開発されている。このような給湯装置としては特開２００１-３４３１５４号公報に開示された給湯装置がある。
【０００３】
図６は特開２００１-３４３１５４号公報に開示された従来の給湯装置を示す断面図である。図６に示すように、キッチンユニット１００に導入された水道管１０１は、分岐栓１０２を介して水栓１０３と止水栓１０４に接続されている。水栓１０３はシンク１０５の縁近傍に設けられており、シンク１０５内への水の吐出を調整する。分岐栓１０２から止水栓１０４を通った水は、浄水カートリッジ１１０において浄化されて加熱容器１０６及び浄水給湯栓１１６に供給される。加熱容器１０６への浄水は、加熱容器１０６内の上部に配置された供給口１０８から供給される。加熱容器１０６の底部にはヒータ１０７が設けられており、貯められた水が加熱されるよう構成されている。加熱容器１０６内の湯は、加熱容器１０６の底部に設けられた取出口からポンプ１２０により浄水給湯栓１１６に送り込まれている。ポンプ１２０に対する駆動制御は、浄水給湯栓１１６の上面に設けられた操作部１１８において行われる。浄水給湯栓１１６に送り込まれた高温度の湯は、浄水給湯栓１１６を貫通してシンク１０５内に導出された湯パイプ１１５から吐出される。
一方、浄水カートリッジ１１０から浄水給湯栓１１６へ直接送られた浄水は、流量調整レバー１１７の手動による開閉操作により浄水パイプ１１４からの吐出が制御される。
【０００４】
【発明が解決しようとする課題】
上記のように構成された従来の給湯装置において、浄水給湯栓１１６から導出する浄水パイプ１１４と湯パイプ１１５の各吐出口は、近接した位置に配設されている。このため、使用者が浄水を飲むつもりで誤って操作した場合、湯パイプ１１５から熱湯が不意に使用者の手などにかかり、火傷をする恐れがあった。特に、幼い子供が浄水給湯栓１１６の操作部１１８を誤って操作した場合などには特に危険であった。システムキッチンに設けられた給湯装置においては、浄水と高温度の湯をキッチンユニット１００のシンク近傍において得ることができる構成であるため、使用者にとって操作が容易であるとともに安全性の高い給湯装置を提供することがこの分野の解決すべき課題であった。
本発明は、上記の課題を解決するものであり、使用者、特に幼い子供が浄水を得ようとして誤って熱湯を吐出するためのスイッチを操作しても、熱湯の吐出を確実に禁止することができる、使用者にとって安全性が高く優れた操作性を有する給湯装置を提供することを目的としている。
【０００５】
【課題を解決するための手段】
前記目的を達成するために、本発明に係る給湯装置は、
通水されて浄水を吐出する浄水ユニット、
前記浄水ユニットが脱着可能に構成され、浄水が加熱される加熱手段を有する給湯ユニット、及び
前記浄水ユニットからの浄水と前記給湯ユニットにおいて加熱された浄水とを選択操作する操作パネルと、この操作パネルと異なる位置に前記操作パネルのボタン操作を無効にする機能を有する非常用操作部とを有する浄水給湯栓、を具備する。このように構成することにより、使用者が浄水を得ようとして誤って熱湯を吐出するためのスイッチを操作しても、熱湯の吐出を確実に禁止することができ、使用者にとって安全性が高く優れた操作性を有する給湯装置を提供することができる。
【０００６】
【発明の実施の形態】
請求項１記載の発明は、通水されて浄水を吐出する浄水ユニット、
前記浄水ユニットが脱着可能に構成され、浄水が加熱される加熱手段を有する給湯ユニット、及び
前記浄水ユニットからの浄水と前記給湯ユニットにおいて加熱された浄水とを操作パネルにおけるボタン操作により選択的に吐出する浄水給湯栓、を具備する給湯装置であって、
前記浄水給湯栓が、上面側に設ける前記操作パネルと、キッチンユニットの使用者作業側端部を正面として実質的に背面側の位置に設けられ、前記操作パネルのボタン操作を無効にする機能を有するスイッチを有する非常用操作部を有し、前記操作パネルの奥側の背面側近傍に前記スイッチの位置を表示するようにし、前記給湯ユニットの湯を吐出するための操作ボタンである熱湯ボタンを備え、前記浄水給湯栓が前記給湯ユニットの湯を吐出する出湯口と、前記熱湯ボタンの操作による出湯可能状態である旨を表示する出湯表示窓とを有し、前記出湯口が前記浄水給湯栓の前面端部近傍の下面側に設けられ、前記出湯表示窓が前記浄水給湯栓の前面端部側壁に設けられたキッチンユニットに組み込まれる給湯装置である。このように構成することにより、浄水と熱湯とを容易に使い分けができるとともに、使用者が不意に熱湯に触れることが防止され、使用者にとっての使用上の安全性を確保した給湯装置を提供できる。
【０００７】
また、このように構成された給湯装置は、浄水と熱湯とを容易に使い分けができるとともに、使用者、特に幼い子供に対する安全性を高めることができる。
【０００８】
また、このように構成された給湯装置は、浄水給湯栓の側方からでも、あるいは使用者が背の低い人であっても熱湯の吐出可能状態を容易に認識することができるため、安全性の高い装置である。また、出湯表示窓を熱湯の吐出する位置の近くに設けることによりさらに安全で使い勝手が良い装置となる。
【０００９】
【実施例】
以下、本発明の給湯装置に係る具体的な実施例について添付の図面を用いて説明する。
図１は、本発明の給湯装置に係る具体的な実施例の構成を示す断面図である。図１において、キッチンユニット１００に導入された水道管１は、分岐栓２を介して水栓３と止水栓４に接続されている。水栓３はキッチンユニット１００の上部でシンク５の縁近傍に設けられており、シンク５内への水を吐出調整できるよう構成されている。分岐栓２から止水栓４を通過した水は、給水弁部１０を通って浄水カートリッジ１１に送られる。給水弁部１０は、濾過器であるストレーナ５、逆止弁６、流量調整弁７及び給止弁８が設けられており、１つの筐体ユニットに構成されている。また、給水弁部１０の筐体ユニット内には漏水を検知するための漏水センサ９が設けられている。
【００１０】
浄水カートリッジ１１に送り込まれた水は、含有塩素、塩素化合物、金属、臭い、その他の濁り成分等が十分に取り除かれて、給湯ユニット２０に送り込まれる。この浄水カートリッジ１１は、１つの筐体ユニットに形成された給湯ユニット２０に容易に着脱可能に構成されている。浄水カートリッジ１１の着脱状態は、カートリッジ有無検知スイッチ１２により認識され得る。
【００１１】
給湯ユニット２０において、浄水カートリッジ１１からの浄水は、流量計１３を介して切換弁１４に到達し、この切換弁１４により加熱部１５又は浄水給湯栓３０に供給され得るよう構成されている。加熱部１５において、加熱容器１８への浄水は、加熱容器１８内の上部に配置された給水口１７から供給される。加熱容器１８の底部にはヒータ１９が設けられており、加熱容器１８に貯められた水が所定温度に加熱される。この加熱容器１８の側面及び上面は断熱材２１に覆われており、加熱容器１８内の浄水が所定温度に維持されるよう構成されている。
【００１２】
加熱容器１８内には給水口１７からの浄水を受ける給水バッファ２２が設けられており、この給水バッファ２２には給水口１７からの浄水を加熱容器１８の下方へ導く滴下パイプ２３が接続されている。このように加熱容器１８内に給水バッファ２２と滴下パイプ２３を設けることにより、給水口１７から送り込まれた所定温度以下の浄水が加熱容器１８の下方に導かれ、加熱容器１８の下部に取り付けられたヒータ１９により加熱される。また、加熱容器１８内には水位センサ２４が設けられており、加熱容器１８内の浄水量が常に監視されるよう構成されている。なお、加熱容器１８内において生じた蒸気は、蒸気パイプ２８を通り浄水給湯栓３０に設けた蒸気口３２から排出される。
【００１３】
給湯ユニット２０における加熱容器１８の底部には、温度センサ３４が設けられており加熱容器１８が所定温度以上になり、過熱状態とならないよう検知している。また、給湯ユニット２０の内側底面には、漏水センサ３５が設けられており給湯ユニット２０内の漏水状態を検知できる構成である。さらに、給湯ユニット２０にはカートリッジリセットスイッチ３６が設けられており、浄水カートリッジ１１を装着するとき、カートリッジリセットスイッチ３６を押圧することにより、使用量を示すデータのリセットが行われる。
【００１４】
浄水給湯栓３０における後述する操作パネル４１からの給湯指令により、加熱容器１８内において所定温度の浄水（本実施例では約９５℃の熱湯）は、加熱容器１８の満水状態における水位の略中間位置（少なくとも、浄水を加熱容器１８の下方のヒータ近傍に導く滴下パイプ２３の給水口より上方の位置）に設けられた取出口２５からポンプ２６に送り込まれる。ポンプ２６に送り込まれた所定温度の浄水（湯）は、給湯パイプ２７を通り浄水給湯栓３０の出湯口３１からシンク５の内側へ吐出される。この出湯口３１は、浄水給湯栓３０における下面側の突出端部近傍に設けられており、蒸気を排出する蒸気口３２の近傍に設けられている。
一方、浄水給湯栓３０の上面側に設けられた操作パネル４１から給浄水指令が出力された場合、浄水カートリッジ１１を通った浄水は、切換弁１４及び逆止弁３３を介して浄水パイプ２９を流れ、浄水給湯栓３０の浄水口３７から吐出される。
【００１５】
次に、本実施例における浄水給湯栓３０について説明する。
図２は浄水給湯栓３０の前面側外観を斜め上方から見た斜視図であり、図３は浄水給湯栓３０の背面側外観を斜め上方から見た斜視図である。
図２及び図３に示すように、浄水給湯栓３０の上面には操作パネル４１が形成されており、この操作パネル４１の背面側から浄水パイプ２９の導出部分２９ａが略コの字状の形状を有して導出している。浄水給湯栓３０の上面に形成された操作パネル４１の具体的な例を図４に示す。図４は浄水給湯栓３０の平面図（上面図）である。図４において、浄水パイプ２９の導出部分２９ａは３６０度回転可能であるため２点鎖線にて示す。
【００１６】
図４に示すように、浄水給湯栓３０の上面に形成された操作パネル４１には、背面側（奥側）から電源ボタン５１、浄水ボタン５２、表示部５３、熱湯ボタン５４、及びロック解除ボタン５５が設けられている。電源ボタン５１は給湯装置全体に対する電源の供給／停止を行うスイッチである。浄水ボタン５２は浄水口３７からの浄水の吐出／停止を行うスイッチである。熱湯ボタン５４は出湯口３１からの湯の吐出／停止を行うスイッチであるが、熱湯ボタン５４の押圧直前にロック解除ボタン５５を押圧して、給湯ロックの解除を行う必要がある。
【００１７】
本実施例の浄水給湯栓３０には、熱湯が出湯口３１から吐出することが可能な出湯可能状態であることを示す出湯表示窓３８と、この出湯可能状態のとき警報音を発する警報手段が設けられている。このように出湯表示窓３８と警報手段を設けることにより、本実施例の給湯装置では出湯可能状態を確実に使用者に知らせて注意を喚起している。なお、本実施例においては、通常使用時の出湯可能状態のときは警報音を発生させず、使用者に熱湯の排出要求を行うとき（後述の「洗浄モード」等のとき）にのみ警報音を発生させるよう選択することも可能である。本実施例においては前記の排出要求状態も出湯可能状態に含まれる。
図２に示すように、出湯表示窓３８は浄水給湯栓３０の前面端部に形成されており、熱湯ボタン５４の押圧により給湯可能となることを表示するものである。給湯可能状態はＬＥＤによる光が出湯表示窓３８を通して出射されることにより、使用者に認識できるよう構成されている。警報音は浄水給湯栓３０の内部に設けられた警報手段が発し、この警報手段はロック解除ボタン５５による給湯ロックの解除と連動するよう構成されている。
【００１８】
図４に示すように、操作パネル４１において、浄水ボタン５２と熱湯ボタン５４との間には表示部５３が設けられており、給湯装置におけるそのときの使用環境を表示している。図４に示した表示部５３は、具体的な一例として示したものであり、本発明はこのような表示構成に限定されるものではない。図４に示した表示部５３には、後述するチャイルドロック状態を発光して示すキーマークと、加熱容器１８内の残湯量を段階的に示す複数の発光窓（残湯量表示５３ｃ）と、クエン酸洗浄を必要としている場合や「洗浄モード」と「クエン酸洗浄モード」であることを発光して示す文字表示（洗浄モード表示５３ａ，クエン酸洗浄モード表示５３ｂ）と、浄水カートリッジ１１の交換時期到来を発光して示す文字表示とを有する。
【００１９】
図３に示すように、浄水給湯栓３０の背面側には非常用操作部４２が設けられており、この非常用操作部４２にはチャイルドロックスイッチ４３と洗浄スイッチ４４が設けられている。非常用操作部４２は浄水給湯栓３０の背面側に形成されているため、非常用操作部４２の位置はキッチンユニット１００において使用者から遠くて見にくい位置である。したがって、非常用操作部４２のチャイルドロックスイッチ４３と洗浄スイッチ４４の各位置を使用者が確認できるように、表示パネル４１の奥側（背面側）には、チャイルドロックスイッチ４３を示すキーマークの表示と、洗浄スイッチ４４を示す「洗浄」の表示が各位置を示す「▲」とともに形成されている。
なお、本実施例において、非常用操作部４２を浄水給湯栓３０の背面側に設けた例で説明したが、非常用操作部４２は正確に背面側に配設させる必要はなく、実質的に背面側に配置すればよく、使用者の通常の作業において容易に接触しない位置が好ましい。
【００２０】
非常用操作部４２におけるチャイルドロックスイッチ４３は、本実施例の浄水給湯栓３０の操作パネル４１を誤って操作した場合、特に小さな子供が操作した場合に出湯口３１から熱湯が吐出して火傷等の事故が発生することを防止するために設けられている。チャイルドロックスイッチ４３が押圧されてチャイルドロック状態とすることにより、ロック解除ボタン５５と熱湯ボタン５４を押圧しても熱湯の吐出は禁止されている。但し、チャイルドロック状態においても、浄水ボタン５２の押圧により浄水の吐出は可能である。チャイルドロック状態の解除は、チャイルドロックスイッチ４３を再度の押圧することによりなされる。このチャイルドロック状態においては、後述する「洗浄モード」への移行も禁止されている。
【００２１】
次に、「洗浄モード」について説明する。
非常用操作部４２における洗浄スイッチ４４は、洗浄モード表示５３ａが点灯しているとき、即ち「洗浄モード」での洗浄が必要である旨の表示を浄水給湯栓３０が行っている場合に押圧されると、給湯ユニット２０の加熱容器１８の洗浄を行う「洗浄モード」に入るためのスイッチである。「洗浄モード」に入ると、浄水給湯栓３０の内部に収納された警報手段であるブザーが警報音を発し、出湯表示窓３８からは光を発して使用者に手動で加熱容器１８内の湯を吐出することを要求する。この「洗浄モード」にある状態において、熱湯ボタン５４を押圧することにより、加熱容器１８内の熱湯が出湯口３１から排出される。
上記のように加熱容器１８から熱湯が排水された後、加熱容器１８に浄水が所定水位まで給水される。このときヒータ１９はオフ状態である。加熱容器１８に給水された浄水は、加熱せずに加熱容器１８から出湯口３１より排出される。このように浄水を加熱しない状態で加熱容器１８における給水と排水が複数回繰り返される洗浄動作が行われる。この洗浄動作の後、改めて加熱容器１８に浄水を所定水位まで給水する。そして、加熱容器１８に浄水が満たされたとき、ヒータ１９がオン状態となり加熱容器１８が加熱される。加熱容器１８内の浄水が所定温度に達したとき洗浄モードが自動的に解除される。
【００２２】
次に、クエン酸により加熱容器１８を洗浄する「クエン酸洗浄モード」について説明する。
クエン酸洗浄モード表示５３ｂと洗浄モード表示５３ａが同時に点灯しているとき、即ち「クエン酸洗浄モード」での洗浄が必要である旨の表示を浄水給湯栓３０が行っている場合に洗浄スイッチ４４が押圧されると、給湯ユニット２０の加熱容器１８の洗浄を行う「クエン酸洗浄モード」に入る。「クエン酸洗浄モード」に入ると、残湯量表示５３ｃが１つ点灯する。このとき、浄水給湯栓３０においては、警報音を発し、同時に出湯表示窓３８が点灯して使用者に手動で加熱容器１８内の湯を排出することを要求する。そこで使用者が熱湯ボタン５４を押圧することにより、加熱容器１８内の熱湯は出湯口３１から排出される。
【００２３】
加熱容器１８から熱湯が所定水位になるまで排出されると、残湯量表示５３ｃの点灯数が１つから２つになり、浄水給湯栓３０においては警報音が鳴りやみ、出湯表示窓３８は消灯する。この出湯表示窓３８の消灯を確認して、使用者は熱湯ボタン５４の押圧を止める。次に、出湯口３１に注入管（図示せず）を接続して簡易ポンプ（図示せず）によりクエン酸溶液を圧力を加えて注入する。所定量のクエン酸溶液が加熱容器１８に注入されると残湯量表示５３ｃの点灯数が２つから３つになる。使用者は、残湯量表示５３ｃの点灯数が３つになったことを確認してから、注入動作を停止し、出湯口３１に接続していた注入管を取り外す。そして、以降の自動洗浄工程の開始ボタンであるロック解除ボタン５５が押圧される。ロック解除ボタン５５が押圧されると、加熱容器１８に浄水が所定水位になるまで供給される。浄水が所定水位まで供給されると、浄水が沸騰されるまで加熱され、沸騰後は所定時間保温されて加熱容器１８内は熱湯によりクエン酸洗浄される。
【００２４】
上記のように、所定時間経過して熱湯によるクエン酸洗浄工程が終了すると、浄水給湯栓３０においては警報音を発し、同時に出湯表示窓３８を点灯して、使用者に手動で加熱容器１８内の湯を排出することを要求する。したがって、使用者は、警報音及び出湯表示窓３８の点灯を確認して、熱湯ボタン５４を押圧し、加熱容器１８内にあるクエン酸溶液を出湯口３１から排出させる。
加熱容器１８から熱湯のクエン酸溶液が所定水位になるまで排水されると、浄水給湯栓３０においては警報音が鳴りやみ、出湯表示窓３８は消灯する。その後、前述の「洗浄モード」と同様に、浄水を加熱しない状態で加熱容器１８における給水と排水とを複数回繰り返す。そして最後に、加熱容器１８に浄水が満たされたとき、ヒータ１９がオン状態となり、加熱容器１８は加熱される。加熱容器１８内の浄水が所定温度に達したとき、浄水給湯栓３０は終了音を発し、クエン酸洗浄表示５３ｂと洗浄モード表示５３ａが消灯されて、「クエン酸洗浄モード」が自動的に解除される。
【００２５】
図５は本実施例の給湯装置における浄水給湯栓３０の縦断面図である。図５に示すように、浄水給湯栓３０の上部側には操作パネル４１等のための回路基板が配置されており、下部側には出湯口３１に通じる給湯パイプ２７と、蒸気口３２に通じる蒸気パイプ２８が配置されている。また、浄水給湯栓３０の背面側には、浄水パイプ２９が貫通するよう設けられており、この浄水パイプ２９に対して導出部分２９ａが回転可能に設けられている。導出部分２９ａを浄水パイプ２９に対して回転可能とするため、浄水パイプ２９と導出部分２９ａとの間には凹凸で構成された係合手段２９ｂが設けられている。
【００２６】
以上にように、本実施例の給湯装置は浄水給湯栓３０の上面側に通常の操作を行うための操作パネル４１を配置し、キッチンユニット１００の使用者作業側を正面とすると背面側にチャイルドロックスイッチ４３と洗浄スイッチ４４のある非常用操作部４２を配置している。このように操作パネル４１と非常用操作部４２とを配置することにより、チャイルドロック状態においては使用者、特に幼い子供が浄水を得ようとして誤って熱湯ボタン５４等を操作しても、熱湯が吐出されることがなく、また使用者が誤ってチャイルドロック状態を解除することもない。
【００２７】
【発明の効果】
以上、実施例について詳細に説明したところから明らかなように、本発明は次の効果を有する。
請求項１記載の発明によれば、浄水給湯栓が、操作パネルと異なる位置に非常用操作部を有するよう構成されているため、使用者が不意に熱湯に触れることを防止することが可能となり、浄水と熱湯とを容易に使い分けができるとともに、使用者にとっての使用上の安全性を確保した給湯装置を提供することができる。
【００２８】
また、操作パネルを上面側に設け、非常用操作部を実質的に背面側に設けて容易に操作できない位置に設けているため、浄水と熱湯とを容易に使い分けができるとともに、使用者、特に幼い子供に対する安全性の高い給湯装置を提供することができる。
【００２９】
また、浄水給湯栓が、出湯表示窓を有し、給湯可能時時に出湯表示窓から光を発するよう構成されているため、給湯可能状態を使用者が容易に認識することができ、安全性の高い給湯装置を提供することができる。
【図面の簡単な説明】
【図１】  本発明の給湯装置に係る具体的な実施例の構成を示す断面図である。
【図２】  本実施例の給湯装置における浄水給湯栓３０の前面側外観を斜め上方から見た斜視図である。
【図３】  本実施例の給湯装置における浄水給湯栓３０の背面側外観を斜め上方から見た斜視図である。
【図４】  本実施例の給湯装置における浄水給湯栓３０の平面図（上面図）である。
【図５】  本実施例の給湯装置における浄水給湯栓３０の縦断面図である。
【図６】  従来の給湯装置を示す断面図である。
【符号の説明】
１    水道管
２    分岐線
３    水栓
４    止水栓
５    シンク
６    逆止弁
７    流量調整弁
８    給水弁
９    漏水センサ
１０    給水弁部
１１    浄水カートリッジ
１２    カートリッジ有無検知スイッチ
１３    流量計
１４    切換弁
１５    加熱部
１６    逆止弁
１７    給水口
１８    加熱容器
１９    ヒータ
２０    給湯ユニット
２１    断熱材
２２    給水バッファ
２３    滴下パイプ
２４    水位センサ
２５    取出口
２６    ポンプ
２７    給湯パイプ
２８    蒸気パイプ
２９    浄水パイプ
３０    浄水給湯栓
３１    出湯口
３２    蒸気口
３３    逆止弁
３４    温度センサ
３５    漏水センサ
３６    カートリッジリセットスイッチ
３７    浄水口
３８    出湯表示窓
４１    操作パネル
４２    非常用操作部
４３    チャイルドロックスイッチ
４４    洗浄スイッチ
５１    電源ボタン
５２    浄水ボタン
５３    表示部
５４    熱湯ボタン
５５    ロック解除ボタン
１００    キッチンユニット
【図１】
0003803304.tif 000002
【図２】
0003803304.tif 000003
【図３】
0003803304.tif 000004
【図４】
0003803304.tif 000005
【図５】
0003803304.tif 000006
【図６】
0003803304.tif 000007